【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  移動無線電気通信システム（２０）において第１のエアインタフェースを介して第１の基地局（３２）と通信する移動局（４０）を、第２のエアインタフェースに従って動作する第２の基地局（３０）へハンドオーバする方法であって、この方法は
第１の基地局により通信リンクを維持している間に、第２の基地局（３０）から第２のエアインタフェースを介して送信された信号を移動局（４０）において受信し、
受信された信号に応答してデータを第１のエアインタフェースを介して移動局（４０）から第１の基地局（３２）へ送信し、
移動局から受信されたデータに応答して移動局（４０）を第１の基地局（３２）から第２の基地局（３０）へハンドオーバすることを含み、なお前記ハンドオーバは移動局（４０）によって受信されたハンドオーバコマンドを使用して行なわれ、
第１の基地局（３２）はＣＤＭＡまたはＴＤＭＡ基地局のうちの１つであり、なお第１のエアインタフェースはそれぞれＣＤＭＡまたはＴＤＭＡエアインタフェースであり、そして
第２の基地局（３０）はＣＤＭＡまたはＴＤＭＡ基地局のうちの他のものであり、なお第２のエアインタフェースはそれぞれＣＤＭＡまたはＴＤＭＡエアインタフェースである
方法。
【請求項２】  該データは信号強度の測定値を含み、そして移動局（４０）をハンドオーバすることは第１および第２の基地局からの信号強度の測定値を比較しそして比較に応答して移動局をハンドオーバすることを含み、ここで前記比較は少なくとも第１の基地局（３２）、第２の基地局（３０）、移動局（４０）、およびＭＳＣ（２４）の少なくともの１つによって行なわれる、請求項１記載の方法。
【請求項３】  重み係数を信号強度の測定に適用することをさらに含む、請求項２記載の方法。
【請求項４】  重み係数を適用することが、システムのネットワーク状態に従ってこの係数を変化させることを含む、請求項３記載の方法。
【請求項５】  重み係数を適用することが、重み係数を測定値に適用する移動局（４０）に、重み係数を通信リンクを介して送信することを含む、請求項３記載の方法。
【請求項６】  データは、第２のエアインタフェースを介して受信された信号の移動局による復号化に基づく第２の基地局（３０）のＩＤを含む、請求項１記載の方法。
【請求項７】  移動局がリスト内の周波数で信号を受信することを探索するように、システム内の第２のタイプの基地局の周波数のリストを第１の基地局（３２）から移動局に送信することをさらに含む、請求項１記載の方法。
【請求項８】  移動局をハンドオーバすることが第１の基地局からハンドオーバコマンドを送信することを含む、請求項１記載の方法。
【請求項９】  移動局において信号を受信することは移動局において単一ＲＦトランシーバを使用することである、請求項１記載の方法。
【請求項１０】  ＴＤＭＡインタフェースがＧＳＭインタフェースを含み、そしてＣＤＭＡインタフェースはＧＳＭネットワークメッセージを伝えるように構成されている、請求項１〜９の何れか１項記載の方法。
【請求項１１】  ＣＤＭＡインタフェースがＩＳ‐９５規格に基づいている、請求項１〜１０の何れか１項記載の方法。
【請求項１２】  単一無線資源管理プロトコルレイヤが第１のエアインタフェースを管理するために使用され、そして移動局をハンドオーバすることが第２のエアインタフェースを管理するために単一無線資源管理プロトコルレイヤを使用することを含む、請求項１０記載の方法。
【請求項１３】  第１のエアインタフェースによって利用できる第１の領域と第２のエアインタフェースによって利用できる第２の領域との間の重なり合う領域を規定し、そして移動局が重なり合う領域にある場合、該信号を受信するように移動局を作動させることをさらに含む、請求項１記載の方法。
【請求項１４】  第１のエアインタフェースがＣＤＭＡインタフェースを含み、そして第２のエアインタフェースがＧＳＭ／ＴＤＭＡインタフェースを含み、そして移動局において信号を受信することが、ＧＳＭ／ＴＤＭＡ信号を受信しそして復号化するようにＣＤＭＡ通信リンクを遮断するため、移動局をゲーティングすることを含む、請求項１〜１３のいずれか１項記載の方法。
【請求項１５】  移動局をゲーティングすることが、ＩＳ‐９５フレームの持続時間においてＣＤＭＡ通信を遮断することを含む、請求項１４記載の方法。
【請求項１６】  データを送信することが、移動局による信号のＧＳＭ周波数補正および同期チャネルの復号化に基づき第２の基地局のＩＤを送信することを含む、請求項１４記載の方法。
【請求項１７】  第１のエアインタフェースがＧＳＭ／ＴＤＭＡインタフェースを含み、そして第２のエアインタフェースがＣＤＭＡインタフェースを含み、そして移動局において信号を受信することが、ＣＤＭＡ信号を受信しそして復号化するために通信リンクを遮断するように移動局を制御することを含む、請求項１記載の方法。
【請求項１８】  第２のタイプの基地局からの信号に関して移動局による検索を開始するために、ＧＳＭセル放送サービスメッセージを移動局に伝えることをさらに含む、請求項１７記載の方法。
【請求項１９】  ＧＳＭセル放送サービスメッセージを移動局に伝えることは、移動局が専用モードで作動している間に移動局によって受信されるようにメッセージを伝えることを含む、請求項１８記載の方法。
【請求項２０】  移動局からデータを送信することが、移動局によって復号化されたＣＤＭＡパイロットビームのＩＤを送信することを含む、請求項１７記載の方法。
【請求項２１】  ハンドオーバを制御するように第２の基地局をＧＳＭ基地局とマッピングすることをさらに含む、請求項１７記載の方法。
【請求項２２】  移動局を制御することが、基地局によって送信されるデータを生成するために、ＴＤＭＡインタフェースを介して基地局と通信する間に、第１のＴＤＭＡタイムスロットの期間にＣＤＭＡ信号を受信し、そしてその後のＴＤＭＡタイムスロットの期間に信号を復号化するように移動局を制御することを含む、請求項１７記載の方法。
【請求項２３】  移動無線電気通信システム（２０）はＧＳＭ移動無線電気通信システムであり、該方法は
ＣＤＭＡエアインタフェースに従って動作するＣＤＭＡ基地局をＧＳＭ／ＴＤＭＡ基地局とマッピングし、
実質的に第１および第２の基地局の双方があたかもＧＳＭ／ＴＤＭＡ基地局であるかのように、第２の基地局からの第２のエアインタフェースを通して送信される信号の強度を第１の基地局からの第１のエアインタフェースを通して受信される信号の強度と比較し、そして
信号強度の比較に応答して第１から第２基地局へ移動局をハンドオーバーすることをさらに含む、請求項１記載の方法。
【請求項２４】  ＣＤＭＡ基地局をマッピングすることは基地局にＧＳＭ周波数と位置を割り当てることを含む、請求項２３記載の方法。
【請求項２５】  ＧＳＭ  Ａ−インターフェイスを介して第１および第２の基地局とシステム内の移動交換局との間でメッセージを伝えることをさらに含む、請求項２３記載の方法。
【請求項２６】  第１および第２の基地局システムの両方がＣＤＭＡエアインタフェースに従って作動する、請求項２５記載の方法。
【請求項２７】  移動局をハンドオーバすることが、実質的にＡ−インタフェースプロトコルに違反することなく、Ａ−インタフェースを通して新しいＩＳ‐９５の長いコードを伝えることを含む、請求項２６記載の方法。
【請求項２８】  重み係数を第２の信号に適用することをさらに含み、そして信号の強度を比較することは重み付けされた信号を比較することを含む、請求項２３記載の方法。
【請求項２９】  重み係数を適用することは、重み係数を第２の信号に適用する移動局に重み係数を伝えることを含む、請求項２８記載の方法。
【請求項３０】  重み係数を適用することは、システム内のネットワーク状態に従って該係数を変化させることを含む、請求項２８記載の方法。
【請求項３１】  無線移動電気通信システム（２０）において使用する無線通信装置であって、
第１のエアインターフェイスに従って第１の信号を送信および受信する第１のタイプの基地局（３２）、
第２のエアインターフェイスに従って第２の信号を送信および受信する第２のタイプの基地局（３０）、そして
第１のタイプの基地局を有する第１のエアインターフェイスを介する通信リンクを維持しながら、第２のタイプの基地局から第２のエアインターフェイスを介して第２の信号を受信し、そして、移動局が送信されたデータに応じて第１の基地局から第２の基地局へハンドオーバーされるように、第２の信号に応答して第１のタイプの基地局にデータを送信する移動局（４０）を含み、
第１の基地局はＣＤＭＡまたはＴＤＭＡ基地局の１つであり、ここで第１のエアインターフェイスはそれぞれＣＤＭＡまたはＴＤＭＡエアインターフェイスであり、そして
第２の基地局はＣＤＭＡまたはＴＤＭＡ基地局の他のものであり、ここで第２のエアインターフェイスはそれぞれＣＤＭＡまたはＴＤＭＡエアインターフェイスである
装置。
【請求項３２】  移動局によって送信されるデータは、移動局が第１および第２の信号の信号強度の比較に応じてハンドオーバされるように、信号強度の測定値を含む、請求項３１記載の装置。
【請求項３３】  重み係数が信号強度の測定値に適用される、請求項３２記載の装置。
【請求項３４】  重み係数がシステム内のネットワーク状態に従って変えられる、請求項３３記載の装置。
【請求項３５】  重み係数が重み係数を測定値に適用する移動局に通信リンクを介して送信される、請求項３２記載の装置。
【請求項３６】  第２のタイプの基地局のＩＤを決定するために、移動局が第２の信号を復号化する、請求項３１記載の装置。
【請求項３７】  第１のタイプの基地局が、システム内の第２のタイプの移動局の周波数のリストを、移動局がリスト内の周波数で第２の信号を受信しようとするように、移動局に送信する、請求項３１記載の装置。
【請求項３８】  第１のタイプの基地局がハンドオーバコマンドを移動局に送信し、それによって移動局が第１の基地局から第２の基地局へハンドオーバされる、請求項３１記載の装置。
【請求項３９】  移動局が、第１および第２のタイプの基地局の両方と通信する単一ＲＦトランシーバ（４２）を含む、請求項３１記載の装置。
【請求項４０】  ＴＤＭＡインタフェースがＧＳＭインタフェースを含み、そしてＣＤＭＡインタフェースがＧＳＭネットワークメッセージを伝えるように構成されている、請求項３１〜３９のいずれか１項記載の装置。
【請求項４１】  ＣＤＭＡインタフェースはＩＳ‐９５規格に基づく、請求項３１〜４０のいずれか１項記載の装置。
【請求項４２】  移動局が第１および第２のエアインタフェースの両方を管理するために単一無線資源管理プロトコルレイヤを使用する、請求項３１〜４１のいずれか１項記載の装置。
【請求項４３】  移動局が第１のエアインタフェースによって利用できる第１の領域と第２のエアインタフェースによって利用できる第２の領域との間の重なり合う領域にある場合、基地局が第２のエアインタフェースを介して第２の信号を受信するように移動局を作動させる、請求項３１記載の装置。
【請求項４４】  第１のエアインタフェースがＣＤＭＡインタフェースを含み、そして第２のエアインタフェースがＧＳＭ／ＴＤＭＡインタフェースを含み、第１のタイプの基地局がＧＳＭ信号を受信しそして復号化するように通信リンクを遮断するために移動局をゲーティングする、請求項３１記載の装置。
【請求項４５】  移動局がＩＳ‐９５フレームの持続時間についてリンクを遮断する、請求項４４記載の装置。
【請求項４６】  移動局がＧＳＭ周波数補正および信号の同期チャネルを復号化するために第２の信号を処理する、請求項４４記載の装置。
【請求項４７】  第１のエアインターフェイスがＧＳＭ／ＴＤＭＡインターフェイスを含み、そして第２のエアインターフェイスがＣＤＭＡインターフェイスを含み、そして第１のタイプの基地局がＣＤＭＡ信号を受信しそして復号するように通信リンクを遮断するために移動局を制御する、請求項３１記載の装置。
【請求項４８】  第２の信号に関し移動局による検索を開始するために、セル放送サービスメッセージを移動局に伝えるＧＳＭセル放送センター（２８）を含む、請求項４７記載の装置。
【請求項４９】  移動局が専用モードで作動している間に、移動局がセル放送サービスメッセージを受信する、請求項４８記載の装置。
【請求項５０】  移動局はＣＤＭＡパイロットビームを識別するためにＣＤＭＡ信号を処理する、請求項４７記載の装置。
【請求項５１】  ハンドオーバを制御するために第２基地局をＧＳＭ基地局とマッピングする手段をさらに含む、請求項４７記載の装置。
【請求項５２】  移動局は第１のＴＤＭＡタイムスロットの期間にＣＤＭＡ信号を受信し、そしてＴＤＭＡインタフェースを介して基地局と通信している間に基地局に送信するためのデータを生成するように、その後のＴＤＭＡタイムスロットの期間に信号を処理する、請求項４７記載の装置。
【請求項５３】  移動無線電気通信装置（２０）はＧＳＭ電気通信システムであり、この装置は
ＧＳＭシステム内の前記ＣＤＭＡ基地局をＧＳＭ基地局とマッピングする手段をさらに含み、あたかも実質的に第１および第２の基地局の双方はＧＳＭ／ＴＤＭＡエアインターフェイスに従って動作するように、移動局により受信された第１および第２の信号の強度の比較に応答して移動局は第１の基地局から第２の基地局にハンドオーバーされる、請求項３１記載の装置。
【請求項５４】  ＣＤＭＡ基地局はシステム内でＧＳＭ周波数および位置を割り当てられる、請求項５３に記載の装置。
【請求項５５】  メッセージが、ＧＳＭ  Ａ−インタフェースを介してシステム内の第１および第２の基地局と移動交換局との間で伝えられる、請求項５３記載の装置。
【請求項５６】  第１および第２の信号の両方がＣＤＭＡ信号を含む、請求項５５記載の装置。
【請求項５７】  新しいＩＳ‐９５の長いコードが、実質的にＡインタフェースプロトコルに違反しないで移動局をハンドオーバするために、Ａ−インタフェースを通して第２の基地局から第１の基地局に伝えられる、請求項５６記載の装置。
【請求項５８】  信号強度が比較される前に、移動局が重み係数を第２の信号に適用する、請求項５３記載の装置。
【手続補正２】
【補正対象書類名】図面
【補正対象項目名】図７
【補正方法】変更
【補正の内容】
【図７】
2003526958.tif 000001